(57)【要約】【課題】複数のソースから目的のソースをダイレクト選択することができ、また、ユーザーが好みのソースを自由に登録し、その登録したソースの中から目的のソースをダイレクト選択することができる車載用音響装置を提供する。【解決手段】複数のソースと、この複数のソースを順番に１つずつ選択する１個のファンクションキー３と、複数のソースの各ソース別に用意された種々の付加機能を呼び出すプリセットキーＰ１〜Ｐ６とを備える。そして、複数のソースをプリセットキーＰ１〜Ｐ６へ１つずつ割り当てて登録する記憶手段と、ソースをダイレクト選択するときに操作する１個のシフトキー５とを備える。このプリセットキーＰ１〜Ｐ６とシフトキー５の操作を組み合わせることによって、目的のソースをダイレクト選択するように構成する。【選択図】図１
2007185974.tif 000002
【特許請求の範囲】
【請求項１】
複数のソースと、前記複数のソースを順番に１つずつ選択する１個のファンクションキーと、前記複数のソースの各ソース別に用意された種々の付加機能を呼び出す複数個のプリセットキーとを備えた車載用音響装置において、
前記複数のソースを前記複数個のプリセットキーへ１つずつ割り当てて登録する記憶手段と、目的のソースをダイレクト選択する時に操作する１個のシフトキーとを備え、
前記プリセットキーと前記シフトキーの操作を組み合わせることによって目的のソースをダイレクト選択するように構成したことを特徴とする車載用音響装置。
【請求項２】
前記目的のソースが登録されているプリセットキーと前記シフトキーを同時に操作することによって目的のソースをダイレクト選択するように構成したことを特徴とする請求項１記載の車載用音響装置。
【請求項３】
前記シフトキーの操作によってソースのダイレクト選択モードに設定されるように構成するとともに、このダイレクト選択モード設定時に目的のソースが登録されているプリセットキーを操作することによって目的のソースをダイレクト選択するように構成したことを特徴とする請求項１記載の車載用音響装置。
【請求項４】
前記シフトキーを長押し操作するとともに、前記複数個のプリセットキーの内の１つのプリセットキーを長押し操作した時に、その操作したプリセットキーに現在選択されているソースをダイレクト選択用ソースとして登録するように構成したことを特徴とする請求項１記載の車載用音響装置。
【請求項５】
前記シフトキーの操作によってソースのダイレクト選択モードに設定されるように構成するとともに、このダイレクト選択モード設定時に前記複数個のプリセットキーの内の１つのプリセットキーを長押し操作した時に、その長押し操作したプリセットキーに現在選択されているソースをダイレクト選択用ソースとして登録するように構成したことを特徴とする請求項１記載の車載用音響装置。
【請求項６】
前記シフトキーの操作によってソースのダイレクト選択モードに設定されるように構成するとともに、このダイレクト選択モード設定後に、再度、前記シフトキーを操作することによってソースのダイレクト選択モードの設定を解除するように構成したことを特徴とする請求項１記載の車載用音響装置。
【請求項７】
前記シフトキーは、前記複数個のプリセットキーの内の１つのプリセットキーをシフトキーとして共用するように構成したことを特徴とする請求項１から６のうちいずれか一項記載の車載用音響装置。
【発明の詳細な説明】
【技術分野】
【０００１】
本発明は、自動車内で音響の再生を可能とする車載用音響装置に係り、特に、複数の音響ソースの中から目的とするソースをダイレクト選択できるようにした車載用音響装置に関する。
【背景技術】
【０００２】
自動車に搭載される車載用音響装置は、装置本体にラジオチューナ、カセットデッキあるいはＣＤ、ＭＤプレーヤ等の音響ソースを内蔵する他、ＣＤチェンジャ、テレビチューナ等、複数の外部音響、映像ソースを接続できるように構成されている。
【０００３】
この種の車載用音響装置では、装置本体内の駆動制御装置に各種の音響、映像ソースに対応した制御プログラムが格納されており、ソース切替キー（以下、ファンクションキーと記す）を操作することによって、複数のソースの中から目的のソースを選択、確定し、駆動するように構成されている。
【０００４】
また、従来の車載用音響装置には、操作ボタンの個数を少なくして操作性の向上を図るために、上述したファンクションキーを１個のファンクションキーで構成し、この１個のファンクションキーの操作によって複数のソースを順番に１つずつ切り換え、目的のソースを選択するように構成したものが提案されている（例えば、特許文献１参照）。
【０００５】
上述した１個のファンクションキーによるソースの選択方法は、例えば、図４の（ａ）に示すように、車載用音響装置１の操作パネル２に設けたファンクションキー３を１回押すと現在選択されているソースの次のソースが選択され確定される。一方、この選択操作時に、次のソースが存在しない場合、例えば、車載用音響装置１に外部機器が接続されていない場合、あるいは、そのソースが確定できない場合等においては、その次のソースが選択されるように構成されていた。
【０００６】
このように、ファンクションキー３を押すことによって、例えば、図４の（ｂ）に示すように、低消費電力状態（Ｓｔａｎｄｂｙ）→ラジオチューナ（Ｔｕｎｅｒ）→ＣＤプレーヤ（ＣＤ）→ＣＤチェンジャ（ＣＤ・ＣＨ）→カセットプレーヤ（ＴＡＰＥ）→補助入力（ＡＵＸ）→ＴＶチューナ（ＴＶ）→ＭＤプレーヤ（ＭＤ）→そして、再び、低消費電力状態（Ｓｔａｎｄｂｙ）へと順番にソースが１つずつ選択されていくことになる。したがって、ユーザーは、表示部４へ目的のソース名等が表示されるまで、ファンクションキー３を押して行く選択操作が必要であった。
【０００７】
また、上述した車載用音響装置１の操作パネル２には、複数のソースの各ソース別に用意された種々の付加機能を呼び出す複数個のプリセットキーＰ１〜Ｐ６が設けられていた。
【０００８】
この複数個のプリセットキーＰ１〜Ｐ６は、例えば、ファンクションキー３の操作によって、複数のソースの中から「ＣＤプレーヤ」が目的のソースとして選択されたと仮定すると、プリセットキーＰ１〜Ｐ６を選択することによって、「ランダムプレイ、リピートプレイ、スキャンプレイ」等の特殊プレイを行なえるキーとして割り当てたり、あるいは、その選択されたＣＤソースの音質調整機能として、例えば、「スタジアム、ホール、クラブ、教会、リビングルーム」等の各モードをプリセットキーＰ１〜Ｐ６によって呼び出すことができるように割り当て、ユーザーのより細かなサウンドメイクの要求に答えることができるように構成されていた。
【０００９】
【特許文献１】特開昭６２−２２６４０３号公報
【発明の開示】
【発明が解決しようとする課題】
【００１０】
上述した従来の車載用音響装置にあっては、目的のソースを選択する場合、図４の（ａ）に示すファンクションキー３を何回か押し下げ操作しないと、目的のソースを選択することができないというシステム上の欠点があった。この結果、例えば、ユーザーがソースを頻繁に変更する場合等においては、その都度、表示器４に表示されるソース名等を確認しながらファンクションキー３を押し下げ操作し、目的のソースを選択する必要があり、目的のソースへ切り換えるまでには相当の時間を要することになり、ユーザーに不快感を与えるという問題点があった。
【００１１】
すなわち、現在選択されているソースが例えば、図４の（ｂ）に示す「ラジオチューナ（Ｔｕｎｅｒ）」であり、ユーザーが新たに選択したいソースが「ＴＶチューナ（ＴＶ）」であったとすると、ファンクションキー３を５回押し下げ操作する必要があった。また、このソース選択操作の際に、ファンクションキー３を押し間違えると、サイクルするソース選択システムであるため、再度、ファンクションキー３を目的のソースが廻ってくるまで押し下げ操作を行なう必要があった。
【００１２】
例えば、ファンクションキー３を５回押し下げ操作して目的のソースである「ＴＶチューナ（ＴＶ）」へ遷移したにもかかわらず、ファンクションキーを連打しすぎてしまい、目的のソースを通り越して次の「ＭＤプレーヤ（ＭＤ）」へ遷移してしまった場合は、目的のソースが選択されるまで、再度、ファンクションキー３を押し直す必要があった。したがって、この１個のファンクションキー３によるソースの選択方法は、操作ボタンの個数を少なくするという利点はあるが、操作性が悪いという問題点があった。
【００１３】
本発明は、このような従来の構成が有していた問題点を解決しようとするものであり、複数のソースから目的のソースをダイレクト選択することができる車載用音響装置を提供することを目的としている。
【００１４】
また、本発明は、ユーザーが好みのソースを自由に登録し、その登録したソースの中から目的のソースをダイレクト選択することができるようにした車載用音響装置を提供することを目的としている。
【課題を解決するための手段】
【００１５】
そして、本発明は、上記の目的を達成するために、複数のソースと、前記複数のソースを順番に１つずつ選択する１個のファンクションキーと、前記複数のソースの各ソース別に用意された種々の付加機能を呼び出す複数個のプリセットキーとを備えた車載用音響装置において、前記複数のソースを前記複数個のプリセットキーへ１つずつ割り当てて登録する記憶手段と、目的のソースをダイレクト選択する時に操作する１個のシフトキーとを備え、前記プリセットキーと前記シフトキーの操作を組み合わせることによって、目的のソースをダイレクト選択するように構成したものである。
【００１６】
この第１の課題解決手段による作用は次のとおりである。すなわち、複数のソースの各ソース別に用意された種々の付加機能を呼び出すための複数のファンクションキーへ複数のソースを１つずつ割り当てて登録する。そして、ユーザーが目的のソースをダイレクト選択するときは、目的のソースが登録されたプリセットキーとシフトキーを組み合わせて押し下げ操作することによって、目的のソースをダイレクト選択することができ、迅速なソースの切り換えを実現することができる。
【００１７】
さらに、本発明は、上記車載用音響装置において、以下の態様の発明を提供するものである。
【００１８】
まず、第２の課題解決手段は、目的のソースが登録されているプリセットキーとシフトキーを同時に操作することによって、目的のソースをダイレクト選択するように構成したものである。
【００１９】
この第２の課題解決手段による作用は、目的のソースが登録されているプリセットキーとシフトキーを同時に押し下げ操作することによって、目的のソースを瞬時に選択することができる。
【００２０】
また、第３の課題解決手段は、シフトキーの操作によってソースのダイレクト選択モードに設定されるように構成するとともに、このダイレクト選択モード設定時に、目的のソースが登録されているプリセットキーを操作することによって、目的のソースをダイレクト選択するように構成したものである。
【００２１】
この第３の課題解決手段による作用は、シフトキーを操作し、ソースのダイレクト選択モードに設定する。このダイレクト選択モード設定時に、目的のソースが登録されているプリセットキーを操作する。この一連の操作によって、目的のソースを瞬時に選択することができる。
【００２２】
また、第４の課題解決手段は、シフトキーを長押し操作するとともに、複数個のプリセットキーの内の１つのプリセットキーを長押し操作した時に、その長押し操作したプリセットキーに現在選択されているソースをダイレクト選択用ソースとして登録するように構成したものである。
【００２３】
この第４の課題解決手段による作用は、シフトキーと、ダイレクト選択用ソースとして登録したいソースが現在選択されているプリセットキーをそれぞれ長押し操作する。この２つのキーの長押し操作によって、長押し操作したプリセットキーに現在選択されているソースをダイレクト選択用ソースとして登録することができる。
【００２４】
また、第５の課題解決手段は、シフトキーの操作によってソースのダイレクト選択モードに設定されるように構成するとともに、このダイレクト選択モード設定時に複数個のプリセットキーの内の１つのプリセットキーを長押し操作した時に、その長押し操作したプリセットキーに現在選択されているソースをダイレクト選択用ソースとして登録するように構成したものである。
【００２５】
この第５の課題解決手段による作用は、シフトキーの操作によってソースのダイレクト選択モードに設定する。このダイレクト選択モード設定時に、複数個のプリセットキーの内の１つのプリセットキーを長押し操作し、その長押し操作したプリセットキーに現在選択されているソースをダイレクト選択用ソースとして登録することができる。
【００２６】
さらに、第６の課題解決手段は、シフトキーの操作によってソースのダイレクト選択モードに設定されるように構成するとともに、このダイレクト選択モード設定後に、再度、シフトキーを操作することによってソースのダイレクト選択モードの設定を解除するように構成したものである。
【００２７】
この第６の課題解決手段による作用は、シフトキーを操作してソースのダイレクト選択モードに設定する。このダイレクト選択モード設定後に、再度、シフトキーを操作することによって、ソースのダイレクト選択モードの設定を容易に解除することができる。
【００２８】
また、第７の課題解決手段は、複数個のプリセットキーの内の１つのプリセットキーをシフトキーとして共用するように構成したものである。
【００２９】
この第７の課題解決手段による作用は、複数個のプリセットキーの内の１つのプリセットキーをシフトキーとして共用することにより、操作キーを新たに増設することなく、本発明を実現することができる。
【発明の効果】
【００３０】
上述したように、本発明の車載用音響装置は、複数のソースから目的のソースをダイレクト選択することができるため、迅速かつ確実なソースの切り換えを実現することができ、ソース選択操作時におけるユーザーの不快感をなくすことができる等の効果を奏する。
【００３１】
また、ユーザーが好みのソースを極めて簡単な操作で自由に登録し、その登録したソースの中から目的のソースをダイレクト選択することができるようにしたから、新規ソースの登録や登録内容の変更を容易に行なうことができる。
【発明を実施するための最良の形態】
【００３２】
以下、本発明の実施の形態を図１〜図３に基づいて説明する。
図１は本発明の要部構成を示す説明図である。図２の（ａ）は、本発明の第１の実施の形態を示すものであって、目的のソース選択時の動作フローを示す図、図２（ｂ）は、本発明の第２の実施の形態を示すものであって、目的のソース選択時の動作フローを示す図である。
【００３３】
また、図３の（ａ）は、本発明の第３の実施の形態を示すものであって、現在選択されているソースを押されたプリセットキーへダイレクト選択用ソースとして登録する時の動作フローを示す図である。また、図３の（ｂ）は、本発明の第４の実施の形態を示すものであって、現在選択されているソースを押されたプリセットキーへダイレクト選択用ソースとして登録する時の動作フローを示す図である。
なお、上述した図４の（ａ）に示す従来の車載用音響装置と同一の構成には、同一の符号を付して重複した説明は省略する。
【実施例１】
【００３４】
まず、本発明の第１の実施の形態を図１と図２の（ａ）に基づいて説明する。
この第１の実施の形態の特長とするところは、図１に示すように、目的のソースをダイレクト選択する際に操作するシフトキー５をプリセットキーＰ１〜Ｐ６に追加して設けるとともに、プリセットキーＰ１〜Ｐ６へソースを１つずつ割り当てて登録し、このプリセットキーＰ１〜Ｐ６とシフトキー５の操作を組み合わせることによって、目的のソースの選択を迅速かつ確実に行なえるように構成したことにある。
【００３５】
以下、上記の構成の動作を図２の（ａ）に基づいて説明する。まず、目的のソースをダイレクト選択したい時は、シフトキー５を押し下げ操作する。このシフトキー５の押し下げ操作と同時に、プリセットキーＰ１〜Ｐ６へ予め登録されているソース（例えば、製品出荷時に製造メーカが決めた初期登録ソース）の内、目的のソースが登録されている例えば、プリセットキーＰ２の押し下げ操作を行なう（ステップＳ１）。
【００３６】
このプリセットキーＰ２が押し下げ操作されると、次のステップＳ２へ移行し、「シフトキー５が押されていて、ダイレクト選択モードに設定されているか否か」を判定する。このステップＳ２で「シフトキー５が押されていて、ダイレクト選択モード」と判定された場合は、ステップＳ３へ移行し、予めプリセットキーＰ２に登録されている目的のソースへの切り換えが行なわれる。
【００３７】
一方、ステップＳ２で「シフトキー５が押されていない」と判定された場合は、ステップＳ４へ移行し、通常のプリセットキー動作、すなわち、現在選択されているソースが「ＣＤプレーヤ」であったと仮定すると、押し下げ操作したプリセットキーＰ２は、例えば、「ランダムプレイ」等の特殊プレイを行なえるキーとしての通常のプリセット動作を実行する。
【００３８】
以上説明したように、本発明の第１の実施の形態によれば、シフトキー５と、目的のソースが登録されている例えば、プリセットキーＰ２を同時に操作することによって、瞬時にしかも確実に目的のソースを選択することができるようになった。したがって、図４の（ａ）および（ｂ）で述べた従来例のように、ソースの切り換え時に、ファンクションキー３を何回も押す必要が無くなり、また、ファンクションキー３を押しすぎて、目的のソースを通り越してしまい、再度、ファンクションキー３を押し直す等の操作性の悪さを改善することができる。
【実施例２】
【００３９】
次に、図１と図２の（ｂ）に基づき、本発明の第２の実施の形態について説明する。
この第２の実施の形態の特長とするところは、シフトキー５の短押し操作によってソースのダイレクト選択モードに設定されるように構成するとともに、このダイレクト選択モード設定時に、目的のソースが登録されている例えば、プリセットキーＰ２を短押し操作することによって、目的のソースを瞬時にかつ確実に選択することができるように構成したことにある。
【００４０】
以下、上記の構成の動作を図２の（ｂ）に基づいて説明する。まず、目的のソースを選択したい時は、シフトキー５を短押し操作する。このシフトキー５の短押し操作によって、ソースのダイレクト選択モードに設定される。このソースのダイレクト選択モード設定時に、プリセットキーＰ１〜Ｐ６へ予め登録されているソースの内、目的のソースが登録されている例えば、プリセットキーＰ２を短押し操作する（ステップＳ１１）。
【００４１】
このプリセットキーＰ２が短押し操作されると、次のステップＳ１２へ移行し、「ソースのダイレクト選択モードか否か」を判定する。ステップＳ１２で「ソースのダイレクト選択モード」と判定された場合は、ステップＳ１３へ移行し、予めプリセットキーＰ２に登録されている目的のソースへの切り換えが行なわれる。一方、ステップＳ１２で「ソースのダイレクト選択モードに設定されていない」と判定された場合は、ステップＳ１４へ移行し、通常のプリセットキー動作を実行する。
【００４２】
以上説明したように、本発明の第２の実施の形態によれば、シフトキー５の短押し操作によって、ソースのダイレクト選択モードに設定されている時に、目的のソースが登録されているプリセットキー（例えば、プリセットキーＰ２）を短押し操作することによって、瞬時にしかも確実に目的のソースを選択することができるようになった。したがって、図４の（ａ）および（ｂ）で述べた従来例のように、ソースの切り換え時に、ファンクションキー３を何回も押す必要が無くなり、また、ファンクションキー３を押しすぎて、目的のソースを通り越してしまい、再度、ファンクションキー３を押し直す等の操作性の悪さを改善することができる。
【実施例３】
【００４３】
次に、図１と図３の（ａ）に基づき、本発明の第３の実施の形態について説明する。
この第３の実施の形態の特長とするところは、シフトキー５と目的のソースが登録されているプリセットキー（例えば、プリセットキーＰ２）をそれぞれ長押し操作し、この２つのキーの長押し操作によって、長押し操作したプリセットキーに現在選択されているソースをダイレクト選択用ソースとして登録することができるように構成したことにある。
【００４４】
以下、上記の構成の動作を図３の（ａ）に基づいて説明する。まず、現在選択されているソースをダイレクト選択用ソースとして登録したい場合は、シフトキー５を長押し操作する。このシフトキー５の長押し操作と同時に、プリセットキーＰ１〜Ｐ６の内、ダイレクト選択用ソースとして登録したいソースが現在選択されているプリセットキー（例えば、プリセットキーＰ２）を長押し操作する。（ステップＳ２１）。
【００４５】
このプリセットキーＰ２が長押し操作されると、次のステップＳ２２へ移行し、「シフトキー５も長押しされているか否か」を判定する。このステップＳ２２で「シフトキー５も長押しされている」と判定された場合は、ステップＳ２３へ移行し、プリセットキーＰ２に現在選択されているソースをダイレクト選択用ソースとしてプリセットキーＰ２へ登録する。
【００４６】
一方、ステップＳ２２で「シフトキー５が長押しされていない」と判定された場合は、ステップＳ２４へ移行し、通常のプリセットキー動作、すなわち、現在選択されているソースが「ＣＤプレーヤ」であったと仮定すると、長押し操作されたプリセットキーＰ２は、例えば、「ランダムプレイ」等の特殊プレイを行なえるキーとしての通常のプリセット動作を実行する。
【００４７】
以上説明したように、本発明の第３の実施の形態によれば、シフトキー５とダイレクト選択用ソースとして登録したいソースが現在選択されているプリセットキーＰ２をそれぞれ長押し操作することによって、長押し操作したプリセットキーＰ２に現在選択されているソースをダイレクト選択用ソースとして登録することができる。したがって、ユーザーが好みの任意のソースを極めて簡単な操作で登録あるいは登録内容の変更等を容易に行なうことができる。
【実施例４】
【００４８】
次に、図１と図３の（ｂ）に基づき、本発明の第４の実施の形態について説明する。
この第４の実施の形態の特長とするところは、シフトキー５の短押し操作によってソースのダイレクト選択モードに設定されるように構成するとともに、このダイレクト選択モード設定時に複数個のプリセットキーの内の１つのプリセットキー（例えば、プリセットキーＰ２）を長押し操作した時に、その長押し操作したプリセットキーＰ２に現在選択されているソースをダイレクト選択用ソースとして登録するように構成したことにある。
【００４９】
以下、上記の構成の動作を図３の（ｂ）に基づいて説明する。まず、現在選択されているソースをダイレクト選択用ソースとして登録したい場合は、シフトキー５を短押し操作し、ソースのダイレクト選択モードに設定する。このソースにダイレクト選択モード設定時に、プリセットキーＰ１〜Ｐ６の内、ダイレクト選択用ソースとして登録したいソースが現在選択されているプリセットキー（例えば、プリセットキーＰ２）を長押し操作する。（ステップＳ３１）。
【００５０】
このプリセットキーＰ２が長押し操作されると、次のステップＳ３２へ移行し、「ソースのダイレクト選択モードか否か」を判定する。このステップＳ３２で「ソースのダイレクト選択モードに設定されている」と判定された場合は、ステップＳ３３へ移行し、プリセットキーＰ２に現在選択されているソースをダイレクト選択用ソースとしてプリセットキーＰ２へ登録する。一方、ステップＳ３２で「ソースのダイレクト選択モードに設定されていない」と判定された場合は、ステップＳ３４へ移行し、通常のプリセットキー動作を実行する。
【００５１】
以上説明したように、本発明の第４の実施の形態によれば、シフトキー５を短押し操作して、ソースのダイレクト選択モードに設定するとともに、ダイレクト選択用ソースとして登録したいソースが現在選択されているプリセットキーＰ２を長押し操作することによって、長押し操作したプリセットキーＰ２に現在選択されているソースをダイレクト選択用ソースとして登録することができる。したがって、ユーザーが好みの任意のソースを極めて簡単な操作で登録あるいは登録内容の変更等を容易に行なうことができる。
【実施例５】
【００５２】
さらに、図１に基づき、本発明の第５の実施の形態について説明する。
この第５の実施の形態の特長とするところは、シフトキー５の操作によって、ソースのダイレクト選択モードに設定されるように構成するとともに、このダイレクト選択モード設定後に、再度、シフトキー５を操作することによって、ソースのダイレクト選択モードの設定を解除するように構成したことにある。
【００５３】
以上説明したように、本発明の第５の実施の形態によれば、シフトキー５を操作してソースのダイレクト選択モードに設定した後に、再度、シフトキー５を操作することによって、ソースのダイレクト選択モードの設定を容易に解除することができる。
【実施例６】
【００５４】
次に、本発明の第６の実施の形態について説明する。
この第６の実施の形態の特長とするところは、複数個のプリセットキーＰ１〜Ｐ６の内の１つのプリセットキーをシフトキーとして共用することにある。この結果、操作キーを新たに増設することなく、本発明を容易に実現することができる。
【００５５】
なお、上述した第１〜第６の各実施の形態においては、本発明を車載用音響装置へ実施した場合について説明したが、これに限定されるものではなく、本発明を車載用音響映像装置へ実施した場合においても、同様の作用および効果を得ることができる。
【図面の簡単な説明】
【００５６】
【図１】本発明の要部構成を示す説明図
【図２】本発明の第１の実施の形態および第２の実施の形態を示すものであって、目的のソース選択時の動作フローを示す図
【図３】本発明の第３の実施の形態および第４の実施の形態を示すものであって、現在選択されているソースを押されたプリセットキーへダイレクト選択用ソースとして登録する時の動作フローを示す図
【図４】従来の車載用音響装置の要部構成説明図およびその動作説明図
【符号の説明】
【００５７】
１    車載用音響装置
２    操作パネル
３    ファンクションキー
４    表示部
５    シフトキー
Ｐ１〜Ｐ６    プリセットキー
【図１】
2007185974.tif 000003
【図２】
2007185974.tif 000004
【図３】
2007185974.tif 000005
【図４】
2007185974.tif 000006